(57)【要約】【課題】本発明は、建屋の建築梁の上面に、接着剤を介して床部材を設置するための高剛性床の設置構造およびその設置方法に関し、建築梁から床部材を容易，確実に除去することを目的とする。【解決手段】水平方向に間隔を置いて配置される複数の建築梁と、前記建築梁の上面に配置されるシート部材と、前記建築梁の上面の長手方向の両側に沿って配置され弾性を有する壁部材と、前記複数の建築梁に跨って配置され前記壁部材の上面に載置される床部材と、前記シート部材、前記壁部材および前記床部材の下面により形成される空間に充填された接着剤とを有することを特徴とする。【選択図】　　　図１
2004060244.tif 000002
【特許請求の範囲】
【請求項１】
水平方向に間隔を置いて配置される複数の建築梁と、
前記建築梁の上面に配置されるシート部材と、
前記建築梁の上面の長手方向の両側に沿って配置され弾性を有する壁部材と、
前記複数の建築梁に跨って配置され前記壁部材の上面に載置される床部材と、
前記シート部材、前記壁部材および前記床部材の下面により形成される空間に充填された接着剤と、
を有することを特徴とする高剛性床の設置構造。
【請求項２】
請求項１記載の高剛性床の設置構造において、
前記床部材を前記建築梁に固定する固定手段を有することを特徴とする高剛性床の設置構造。
【請求項３】
請求項１または請求項２記載の高剛性床の設置構造において、
前記床部材に、前記接着剤を前記空間に充填するための充填穴を貫通形成するとともに、前記床部材を水平に配置するためのレベル調整手段を配置し、前記レベル調整手段を、前記床部材に形成される貫通穴に固定される雌螺子部材と、前記雌螺子部材に螺合される雄螺子部材とから構成してなることを特徴とする高剛性床の設置構造。
【請求項４】
水平方向に間隔を置いて配置される複数の建築梁の上面にシート部材を配置する工程と、
前記建築梁の上面の長手方向の両側に沿って弾性を有する壁部材を配置する工程と、
前記複数の建築梁に跨って床部材を配置し前記壁部材の上面に床部材を載置する工程と、
前記シート部材、前記壁部材および前記床部材の下面により形成される空間に接着剤を充填する工程と、
を有することを特徴とする高剛性床の設置方法。
【発明の詳細な説明】
【０００１】
【発明の属する技術分野】
本発明は、建屋の建築梁の上面に、接着剤を介して床部材を設置するための高剛性床の設置構造およびその設置方法に関する。
【０００２】
【従来の技術】
従来、工場，ビル等の建屋では、水平方向に間隔を置いて配置される複数の建築梁に跨って床部材を載置し、重量の大きい装置，機械等を設置するための基礎を構築することが行われている。
そして、この場合、複数の建築梁の上面に、接着剤を介して床部材を載置することにより、床部材を建築梁の上面に確実に密着させることが可能になり、床部材の剛性を向上することができる。
【０００３】
図７は、従来の高剛性床の設置構造を示すもので、この設置構造では、水平方向に間隔を置いて配置される複数の建築梁１に跨って床部材２が載置されている。
そして、建築梁１は、その成型精度上どうしても建築梁１毎の上面レベルが異なり、例えば、図の中央の建築梁１の上面の高さが、左右の建築梁１の上面の高さより、Δｈ１およびΔｈ２だけ高くなっている。
【０００４】
建築梁１の上面には、床部材２を水平に維持するためのスペーサ３が配置されている。
そして、建築梁１の上面と床部材２の下面との間に、接着剤４が充填されている。
【０００５】
【発明が解決しようとする課題】
しかしながら、このような従来の高剛性床の設置構造では、床部材２が、接着剤４により建築梁１に非常に強固に固定されているため、工場内のレイアウト等の変更時に、建築梁１から床部材２を除去することが容易でなく、多大な工数が必要になるという問題があった。
【０００６】
本発明は、かかる従来の問題を解決するためになされたもので、床部材を建築梁の上面に密着させるが、ある水平面で剪断応力を弱くすることで、建築梁から床部材を引きはがすことを容易にし、建築梁から床部材を容易，確実に除去することができる高剛性床の設置構造およびその設置方法を提供することを目的とする。
【０００７】
【課題を解決するための手段】
請求項１の高剛性床の設置構造は、水平方向に間隔を置いて配置される複数の建築梁と、前記建築梁の上面に配置されるシート部材と、前記建築梁の上面の長手方向の両側に沿って配置され弾性を有する壁部材と、前記複数の建築梁に跨って配置され前記壁部材の上面に載置される床部材と、前記シート部材、前記壁部材および前記床部材の下面により形成される空間に充填された接着剤とを有することを特徴とする。
【０００８】
請求項２の高剛性床の設置構造は、請求項１記載の高剛性床の設置構造において、前記床部材を前記建築梁に固定する固定手段を有することを特徴とする。
請求項３の高剛性床の設置構造は、請求項１または請求項２記載の高剛性床の設置構造において、前記床部材に、前記接着剤を前記空間に充填するための充填穴を貫通形成するとともに、前記床部材を水平に配置するためのレベル調整手段を配置し、前記レベル調整手段を、前記床部材に形成される貫通穴に固定される雌螺子部材と、前記雌螺子部材に螺合される雄螺子部材とから構成してなることを特徴とする。
【０００９】
請求項４の高剛性床の設置方法は、水平方向に間隔を置いて配置される複数の建築梁の上面にシート部材を配置する工程と、前記建築梁の上面の長手方向の両側に沿って弾性を有する壁部材を配置する工程と、前記複数の建築梁に跨って床部材を配置し前記壁部材の上面に床部材を載置する工程と、前記シート部材、前記壁部材および前記床部材の下面により形成される空間に接着剤を充填する工程とを有することを特徴とする。
【００１０】
（作用）
請求項１の高剛性床の設置構造では、建築梁の上面にシート部材が配置される。
従って、建築梁と床部材の間に接着剤を充填した場合にも、強固な接着力を持つ接着剤が建築梁に直接または全面積で接着することがなくなる。
また、建築梁の上面の長手方向の両側に沿って弾性を有する壁部材が配置される。
【００１１】
従って、壁部材の上面に床部材を載置すると、壁部材が弾性変形しシート部材、壁部材および床部材の下面により密閉空間が形成される。
請求項２の高剛性床の設置構造では、固定手段により、床部材が建築梁に固定される。
請求項３の高剛性床の設置構造では、床部材に、充填穴が貫通形成され、この充填穴からシート部材、壁部材および床部材の下面により形成される空間に、接着剤が充填される。
【００１２】
また、床部材の上方からレベル調整手段の雄螺子部材を回動することにより、床部材と建築梁との間隙寸法が調整され、床部材が水平に配置される。
請求項４の高剛性床の設置方法では、水平方向に間隔を置いて配置される複数の建築梁の上面にシート部材が配置された後、建築梁の上面の長手方向の両側に沿って弾性を有する壁部材が配置される。
【００１３】
そして、複数の建築梁に跨って床部材が配置され、壁部材の上面に床部材が載置され、この状態で、シート部材、壁部材および床部材の下面により形成される空間に接着剤が充填される。
【００１４】
【発明の実施の形態】
以下、本発明を図面に示す実施形態について説明する。
【００１５】
図１は、本発明の高剛性床の設置構造の一実施形態を示している。
図１において、符号１１は、水平方向に間隔を置いて配置される複数の建築梁を示している。
この建築梁１１は、例えば、鉄筋コンクリートからなり、工場，ビル等の建屋の基礎を構築している。
【００１６】
複数の建築梁１１に跨って床部材１３が載置されている。
床部材１３は、例えば、鉄筋コンクリートからなり、１５０ｍｍから２５０ｍｍ程度の肉厚を有している。
この床部材１３上には、図示しない重量の大きい装置，機械等が設置される。床部材１３の上面には、後述する吊り用のアイボルトを螺合するための吊り持ち部１５が配置されている。
【００１７】
建築梁１１の上面には、シート部材１７が配置されている。
このシート部材１７は、ビニールテープ，ガムテープ等の粘着テープからなり、建築梁１１の上面に貼着されている。
この粘着テープは、片側のみ粘着性を持ち、その接着力は接着剤の接着力より弱いが、通常の使用状態での床部材１３にかかる剪断応力に対しては、十分に上回る接着力を持つものである。
【００１８】
建築梁１１の上面には、長手方向の両側に沿って一対の壁部材１９が配置されている。
この壁部材１９は、ネオプレンゴム等のゴムからなり弾性を有している。
そして、シート部材１７、壁部材１９および床部材１３の下面により形成される接着剤充填空間２１に、接着剤２３が充填されている。
【００１９】
この接着剤２３には、例えば、エポキシ系の接着剤が使用されている。
接着剤２３には、硬化の際に体積変化が少なく、また、硬化後において弾性が無いものが望ましい。
【００２０】
この実施形態では、床部材１３には、接着剤充填空間２１に接着剤２３を充填するための充填穴１３ａが形成されている。
この充填穴１３ａは、床部材１３の肉厚方向に貫通形成され、建築梁１１の長手方向に間隔を置いて複数形成されている。
また、この実施形態では、床部材１３には、床部材１３を水平に配置するためのレベル調整手段２５が配置されている。
【００２１】
レベル調整手段２５は、床部材１３に形成される貫通穴１３ｂに固定される雌螺子部材２７と、雌螺子部材２７に螺合される雄螺子部材２９とを有している。雄螺子部材２９は、六角穴付きボルトからなり、六角穴が形成されるボルトの頭部２９ａが床部材１３の上側に位置されている。
そして、この実施形態では、固定手段２６により、床部材１３が建築梁１１に固定されている。
【００２２】
この固定手段２６は、建築梁１１の両側に配置される垂直部材２９と、建築梁１１の下面に配置される水平部材３１とを有している。
垂直部材２９の上下には、雄螺子部２９ａ，２９ｂが形成されている。
上側の雄螺子部２９ａは、床部材１３の下面に配置される雌螺子部材３３に螺合され、ナット３５により固定されている。
【００２３】
また、下側の雄螺子部２９ｂは、水平部材３１の両側に形成される図示しない貫通穴に挿入され、ナット３７により固定されている。
上述した高剛性床の設置構造は、以下述べるようにして構築される。
先ず、図２に示すように、建築梁１１の上面１１ａにシート部材１７が配置される。
【００２４】
このシート部材１７の配置は、粘着テープ３９を建築梁１１の上面１１ａに、隙間が生じないように貼着することにより行われる。
なお、作業性を向上するためには、できるだけ幅の広い粘着テープ３９を使用して、建築梁１１の長手方向に沿って粘着テープ３９を貼着するのが望ましい。
【００２５】
次に、図３に示すように、建築梁１１の上面の長手方向の両側に沿って、シート部材１７上に、ゴムからなる一対の壁部材１９が配置される。
この壁部材１９の高さは、図１に示した状態において、各壁部材１９が、床部材１３により押圧されるような高さとされる。
次に、図４に示すように、複数の建築梁１１に跨って床部材１３が配置され、壁部材１９の上面に床部材１３が載置される。
【００２６】
床部材１３の配置は、床部材１３の上面に配置される吊り持ち部１５にアイボルト４１を螺合し、アイボルト４１をワイヤーロープ４３により吊り持ちし、床部材１３を移動することにより行われる。
そして、床部材１３をできるだけ水平に吊り持ちした状態で、図５に示すように、床部材１３の下面が、全ての壁部材１９の上面を押圧する位置まで、床部材１３が下降される。
【００２７】
次に、この状態で、床部材１３の上方からレベル調整手段２５の雄螺子部材２９を回動することにより、全ての雄螺子部材２９の先端が建築梁１１の上面のシート部材１７に当接される。
次に、床部材１３の吊り持ちが解除され、この解除状態で、床部材１３の最終的なレベル調整が行われる。
【００２８】
このレベル調整は、床部材１３の水平度を測定しながら、例えば、床部材１３に配置される３ヶ所のレベル調整手段２５の雄螺子部材２９を回動して、雄螺子部材２９の先端を建築梁１１側に微少量突出させることにより行われる。
このように、最終的に３ヶ所でレベル調整することにより、レベル調整を容易，確実に行うことができる。
【００２９】
次に、シート部材１７、壁部材１９および床部材１３の下面により形成される接着剤充填空間２１に接着剤２３が充填される。
この接着剤２３の充填は、床部材１３に形成される充填穴１３ａに、ホース，パイプ等の先端を挿入し、ホース，パイプ等の他端から接着剤２３を流し込むことにより行われる。
【００３０】
そして、接着剤２３の充填は、充填穴１３ａに棒部材等を挿入することにより、接着剤充填空間２１内への接着剤２３の充填量を測定しながら行われる。
次に、接着剤２３が完全に硬化した後に、固定手段２６により床部材１３が建築梁１１に固定される。
この実施形態では、先ず、図６に示すように、垂直部材２９の上側に形成される雄螺子部２９ａが、床部材１３の下面に配置される雌螺子部材３３に螺合され、ナット３５により垂直部材２９が建築梁１１の両側に固定される。
【００３１】
次に、垂直部材２９の下側の雄螺子部２９ｂに、水平部材３１の両側に形成される貫通穴３１ａが被嵌され、水平部材３１の下側から雄螺子部２９ｂにナット３７が螺合される。
そして、ナット３７の回動により、水平部材３１が建築梁１１の下面に押圧され、床部材１３が建築梁１１に強固に固定される。
【００３２】
上述した高剛性床の設置構造では、建築梁１１の上面にシート部材１７を配置したので、建築梁１１と床部材１３の間に接着剤２３を充填した場合にも、接着剤２３が建築梁１１に直接接着することがなくなり、建築梁１１から床部材１３を容易，確実に除去することができる。
また、建築梁１１の上面の長手方向の両側に沿って弾性を有する壁部材１９を配置したので、壁部材１９の上面に床部材１３を載置すると、壁部材１９が弾性変形しシート部材１７、壁部材１９および床部材１３の下面により密閉状の接着剤充填空間２１が形成されるため、この接着剤充填空間２１に接着剤２３を確実に充填することができる。
【００３３】
さらに、上述した高剛性床の設置構造では、固定手段２６により床部材１３を建築梁１１に固定したので、地震等の振動により建築梁１１から床部材１３が移動することを確実に防止することができる。
また、上述した高剛性床の設置構造では、床部材１３に、シート部材１７、壁部材１９および床部材１３の下面により形成される接着剤充填空間２１に接着剤２３を充填するための充填穴１３ａを貫通形成したので、接着剤充填空間２１に接着剤２３を容易，確実に充填することができる。
【００３４】
また、接着剤２３の充填時に、充填穴１３ａから、接着剤充填空間２１内の空気が排出されるため、接着剤２３の充填を容易，確実に行うことができる。
そして、充填穴１３ａに棒部材等を挿入することにより、接着剤充填空間２１内への接着剤２３の充填量を容易，確実に測定することができる。
また、上述した高剛性床の設置構造では、床部材１３の上方から雄螺子部材２９を回動することにより、床部材１３と建築梁１１との間隙寸法が調整されるため、床部材１３のレベル調整を容易，確実に行うことができる。
【００３５】
そして、上述した高剛性床の設置方法では、図１に示した高剛性床の設置構造を容易，確実に構築することができる。
なお、上述した実施形態では、シート部材１７に、ビニールテープ，ガムテープ等の粘着テープ３９を使用した例について説明したが、本発明はかかる実施形態に限定されるものではなく、接着剤２３の建築梁１１側への直接の付着または全面での付着を防止することができれば良く、例えば、テフロン（登録商標）シート等のシートを使用することができる。
【００３６】
そして、建築梁１１側に粘着性を持たないシートを使用する場合には、シートを建築梁１１の上面１１ａに僅かに隙間をあけて載置させて、接着剤２３の接着強度をシート部分で弱くして、剪断応力をこの部位で弱くする構成がとられる。また、上述した実施形態では、壁部材１９に、ゴムからなる弾性体を使用した例について説明したが、本発明はかかる実施形態に限定されるものではなく、弾性変形可能であれば良く、例えば、蛇腹状の構造物等を使用することができる。
【００３７】
さらに、上述した実施形態では、床部材１３に、床部材１３を水平に配置するためのレベル調整手段２５を配置した例について説明したが、本発明はかかる実施形態に限定されるものではなく、例えば、建築梁１１側にレベル調整手段を配置しても良い。
そして、複数の建築梁１１および床部材１３の精度が必要精度を満たしている場合には、必ずしもレベル調整手段を配置する必要はない。
【００３８】
また、上述した実施形態では、鉄筋コンクリートからなる床部材１３に本発明を適用した例について説明したが、本発明はかかる実施形態に限定されるものではなく、例えば、鉄板等からなる床部材にも適用することができる。
【００３９】
【発明の効果】
以上述べたように、請求項１の高剛性床の設置構造では、建築梁の上面にシート部材を配置したので、建築梁と床部材の間に接着剤を充填した場合にも、接着剤が建築梁に直接接着することがなくなり、建築梁から床部材を容易，確実に除去することができる。
【００４０】
また、建築梁の上面の長手方向の両側に沿って弾性を有する壁部材を配置したので、壁部材の上面に床部材を載置すると、壁部材が弾性変形しシート部材、壁部材および床部材の下面により密閉空間が形成されるため、この空間に接着剤を確実に充填することができる。
請求項２の高剛性床の設置構造では、固定手段により床部材を建築梁に固定したので、地震等の振動により建築梁から床部材が移動することを確実に防止することができる。
【００４１】
請求項３の高剛性床の設置構造では、床部材に、シート部材、壁部材および床部材の下面により形成される空間に接着剤を充填するための充填穴を貫通形成したので、空間に接着剤を容易，確実に充填することができる。
また、接着剤の充填時に、充填穴から、空間内の空気が排出されるため、接着剤の充填を容易，確実に行うことができる。
【００４２】
そして、充填穴に棒部材等を挿入することにより、空間内への接着剤の充填量を容易，確実に測定することができる。
また、床部材の上方から雄螺子部材を回動することにより、床部材と建築梁との間隙寸法が調整されるため、床部材のレベル調整を容易，確実に行うことができる。
請求項４の高剛性床の設置方法では、請求項１の高剛性床の設置構造を容易，確実に構築することができる。
【図面の簡単な説明】
【図１】本発明の高剛性床の設置構造の一実施形態を示す断面図である。
【図２】図１の建築梁の上面へのシート部材の配置方法を示す説明図である。
【図３】図１の建築梁の上面への壁部材の配置方法を示す説明図である。
【図４】図１の建築梁への床部材の配置方法を示す説明図である。
【図５】図１の建築梁への床部材の配置方法を示す説明図である。
【図６】図１の建築梁への固定手段の配置方法を示す説明図である。
【図７】従来の高剛性床の設置構造を示す断面図である。
【符号の説明】
１１　建築梁
１３　床部材
１３ａ　充填穴
１３ｂ　貫通穴
１７　シート部材
１９　壁部材
２１　接着剤充填空間
２３　接着剤
２５　レベル調整手段
２６　固定手段
２７　雌螺子部材
２９　雄螺子部材
【図１】
2004060244.tif 000003
【図２】
2004060244.tif 000004
【図３】
2004060244.tif 000005
【図４】
2004060244.tif 000006
【図５】
2004060244.tif 000007
【図６】
2004060244.tif 000008
【図７】
2004060244.tif 000009